(57)【要約】【課題】ユーザーに係る禁則処理のデータをサーバーに保持することなく、ユーザーの希望に合わせた禁則処理を実行することのできるインターネットホームページの入力禁則処理システムを提供すること。【解決手段】サーバー機１では、標準禁則データ１２２を備え、標準禁則データ１２２に標準禁則データ識別情報１２２ａを関連付ける。標準禁則データ識別情報１２２ａは、ホームページの一部としてクライアント機２に送信される。クライアント機２では、サーバー機１からダウンロードした標準禁則データ２２１、又はユーザーが編集した個別禁則データ２２２を、標準禁則データ識別情報１２２ａに基づいて選択して禁則処理を行う。【選択図】図１
2017097816.tif 000002
【特許請求の範囲】
【請求項１】
サーバー機と、
クライアント機を備え、
前記サーバー機は、
禁則処理の適用される禁則テキスト入力域を含むファイル形式の閲覧ページと、
標準禁則データと、
前記標準禁則データに関連付けられた標準禁則データ識別情報とを記憶し、
前記クライアント機は、
前記閲覧ページを前記サーバー機からネットワークを介して取得し、前記取得した閲覧ページを表示するブラウザー部と、
前記標準禁則データを前記サーバーからダウンロードして記憶するダウンロード部と、
禁則データを個別禁則データとして記憶し、前記個別禁則データに関連付けられた個別禁則データ識別情報を記憶する編集部と、
前記禁則テキスト入力域への入力において前記標準禁則データ又は前記個別禁則データに基づいて禁則処理を行う禁則処理部とを備えることを特徴とする、入力禁則処理システム。
【請求項２】
前記個別禁則データは、使用可能文字のリストを含み、
前記禁則処理部は、前記閲覧ページの前記禁則テキスト入力域に係る箇所への、前記使用可能文字以外の文字の入力を禁止することを特徴とする、請求項１に記載の入力禁則処理システム。
【請求項３】
前記個別禁則データは、使用禁止文字のリストを含み、
前記禁則処理部は、前記閲覧ページの前記禁則テキスト入力域に係る箇所への、前記使用禁止文字の入力を禁止することを特徴とする、請求項１に記載の入力禁則処理システム。
【請求項４】
前記クライアント機は、前記禁則テキスト入力域に適用する前記標準禁則データ又は前記個別禁則データをユーザー別に定めた禁則指定データを生成する禁則指定部を備え、
前記禁則処理部は、前記禁則指定データに基づいて前記標準禁則データ又は前記個別禁則データを選択して禁則処理を行うことを特徴とする、請求項１〜３のいずれか１項に記載の入力禁則処理システム。
【請求項５】
前記閲覧ページは、ウェブページであることを特徴とする請求項１〜４のいずれか１項に記載の入力禁則処理システム。
【請求項６】
禁則処理の適用される禁則テキスト入力域を含むファイル形式の閲覧ページをサーバー機からネットワークを介して取得し、前記取得した閲覧ページを表示するブラウザー部、
標準禁則データを前記サーバーからダウンロードして記憶するダウンロード部、
禁則データを個別禁則データとして記憶し、前記個別禁則データ関連付けられた個別禁則データ識別情報を記憶する編集部、及び
前記禁則テキスト入力域への入力において前記標準禁則データ又は前記個別禁則データに基づいて禁則処理を行う禁則処理部としてクライアント機のコンピューターを機能させることを特徴とする、入力禁則処理プログラム。 
【発明の詳細な説明】
【技術分野】
【０００１】
本発明は、ネットワークを介して取得される閲覧ページにおけるテキスト入力域に入力される文字又は文字列を設定されたものに限定する禁則処理を実行する閲覧ページの入力禁則処理システム及び入力禁則処理プログラムに関する。
【背景技術】
【０００２】
ウェブページ等の閲覧ページには、ユーザーのテキスト入力を受け付けるテキスト入力域が設けられているものが多く存在する。また、入力される文字又は文字列を設定されたものに限定する禁則処理を設けたテキスト入力域（例えば電話番号入力のためのテキスト入力域において数字のみを入力として受け付けるもの）も多い。かかる禁則処理は、閲覧ページ（のファイル）を提供するサーバーにおいて行われ、禁則処理のために必要なデータはサーバーに保持されていた。なお、「禁則処理」の語は、句読点等を行頭に配置しないための行送りの調整を表すことがあるが、本明細書においては、文字又は文字列についての入力認否の処理全般を表す。
【０００３】
禁則処理は、閲覧ページに限らず、文書ファイルについても行われる。特許文献１には、文書ファイル毎に独自の禁則処理を設定できる文書処理方法が開示されている。文書ファイルのユーザーに合わせた禁則処理が可能となる。
【先行技術文献】
【特許文献】
【０００４】
【特許文献１】特開平０７−３２５８０７号公報
【発明の概要】
【発明が解決しようとする課題】
【０００５】
ネットワークを介して取得される閲覧ページにおいては、不特定多数のユーザーがアクセスするため、具体的にいかなる禁則処理を行うかについて、ユーザー毎に独自の希望を有する場合がある。例えば、１のユーザーが、メールアドレスを入力するテキスト入力域について大文字を認めずに小文字のみとする（ユーザーは小文字のみからなるメールアドレスを有する）ことを希望する場合である。かかるユーザーの希望について、ユーザー別の禁則処理をサーバーにおいて提供することは、多くのユーザーに係るデータをサーバーに保持することとなり、実質的に不可能である。
【０００６】
特許文献１に開示された文書処理方法は、文書（閲覧ページに相当）毎に１のみの禁則処理を設定することとなり、１の閲覧ページにユーザー別の多種の禁則処理を設定できるものではない。
【０００７】
本発明は、ユーザーに係る禁則処理のデータをサーバーに保持することなく、ユーザーの希望に合わせた禁則処理を実行することのできる閲覧ページの入力禁則処理システムを提供することを課題とする。
【課題を解決するための手段】
【０００８】
本発明の入力禁則処理システムは、
サーバー機と、
クライアント機を備え、
前記サーバー機は、
禁則処理の適用される禁則テキスト入力域を含むファイル形式の閲覧ページと、
標準禁則データと、
前記標準禁則データに関連付けられた標準禁則データ識別情報とを記憶し、
前記クライアント機は、
前記閲覧ページを前記サーバー機からネットワークを介して取得し、前記取得した閲覧ページを表示するブラウザー部と、
前記標準禁則データを前記サーバーからダウンロードして記憶するダウンロード部と、
禁則データを個別禁則データとして記憶し、前記個別禁則データに関連付けられた個別禁則データ識別情報を記憶する編集部と、
前記禁則テキスト入力域への入力において前記標準禁則データ又は前記個別禁則データに基づいて禁則処理を行う禁則処理部とを備えることを特徴とする。
【０００９】
この特徴によれば、クライアント機において標準禁則データをダウンロードしてそれに基づいて禁則処理を行うことと、それを編集した個別禁則データに基づいて禁則処理を行うこととが可能となる。ユーザーは、標準禁則データとは異なる禁則処理を希望する場合に個別禁則データを生成すればよい。個別禁則データはクライアント機に保持され、サーバー機の記憶域を使用しない。また、インターネットホームページに２以上の禁則テキスト入力域が含まれる場合には、標準禁則データ識別情報によってサーバー機において使用される標準禁則データが判明するので、クライアント機はその標準禁則データ又はその標準禁則データ識別情報に基づいて決定される個別禁則データを使用することができる。（使用される禁則データの決定については後述する。）
ここで「標準禁則データ識別情報」及び「個別禁則データ識別情報」は、禁則データ（標準禁則データ及び個別禁則データ）が複数存在する場合に、１の禁則データを他の禁則データと識別するためのものである。
【００１０】
本発明の入力禁則処理システムは、
前記個別禁則データは、使用可能文字のリストを含み、
前記禁則処理部は、前記閲覧ページの前記禁則テキスト入力域に係る箇所への、前記使用可能文字以外の文字の入力を禁止することを特徴とする。
【００１１】
この特徴によれば、ユーザーが禁則データの内容を容易に理解することができる。ユーザーによる編集が容易である。
【００１２】
本発明の入力禁則処理システムは、
前記個別禁則データは、使用禁止文字のリストを含み、
前記禁則処理部は、前記閲覧ページの前記禁則テキスト入力域に係る箇所への、前記使用禁止文字の入力を禁止することを特徴とする。
【００１３】
この特徴によっても、ユーザーによる理解及び編集が容易である。
【００１４】
本発明の入力禁則処理システムは、
前記クライアント機は、前記禁則テキスト入力域に適用する前記標準禁則データ又は前記個別禁則データをユーザー別に定めた禁則指定データを生成する禁則指定部を備え、
前記禁則処理部は、前記禁則指定データに基づいて前記標準禁則データ又は前記個別禁則データを選択して禁則処理を行うことを特徴とする。
【００１５】
この特徴によれば、標準禁則データ又は個別禁則データの使い分けをユーザー毎に行うことができる。
【００１６】
本発明の入力禁則処理システムは、
前記閲覧ページは、ウェブページであることを特徴とする。
【００１７】
この特徴によれば、広く用いられているウェブページに本発明を適用することができる。
【００１８】
本発明の入力禁則処理プログラムは、
禁則処理の適用される禁則テキスト入力域を含むファイル形式の閲覧ページを前記サーバー機からネットワークを介して取得し、前記取得した閲覧ページを表示するブラウザー部、
同定文字列を含む標準禁則データを前記サーバーからダウンロードして記憶するダウンロード部、
禁則データを個別禁則データとして記憶し、前記個別禁則データ関連付けられた個別禁則データ識別情報を記憶する編集部、及び
前記禁則テキスト入力域への入力において前記標準禁則データ又は前記個別禁則データに基づいて禁則処理を行う禁則処理部としてクライアント機のコンピューターを機能させることを特徴とする。
【００１９】
この特徴によれば、本発明においてクライアント機のコンピューターを動作させる入力禁則処理プログラムを提供することができる。
【発明の効果】
【００２０】
本発明によれば、ユーザーに係る禁則処理のデータをサーバーに保持することなく、ユーザーの希望に合わせた禁則処理を実行することのできる閲覧ページの入力禁則処理システムが提供される。
【図面の簡単な説明】
【００２１】
【図１】図１は、入力禁則処理システムの構成を示す図である。
【図２】図２は、テキスト入力域のＨＴＭＬの例を示す図である。
【図３】図３は、編集部の表示する画面の例を示す図である。
【図４】図４は、禁則指定部の表示する画面の例を示す図である。
【発明を実施するための形態】
【００２２】
図１は、本発明の入力禁則処理システムの構成を示す図である。入力禁則処理システムにおいては、サーバー機１に１又は２以上のクライアント機２がネットワークを介して接続されている。なお、実施例として１のサーバー機と１のクライアント機により説明するが、２以上のサーバー機と２以上のクライアント機とが存在し、それらのうちの１のサーバー機と１のクライアント機が接続されて本実施例のように動作する。
【００２３】
サーバー機１は、サーバー制御部１１及びサーバー記憶部１２を備えている。
【００２４】
サーバー制御部１１は、ウェブページ提供部１１１及び禁則データ送信部１１２を備えている。
【００２５】
なお、サーバー制御部１１は、例えば、ＣＰＵ（Central Processing Unit）等のプロセッサーであり、プログラムを実行することによりウェブページ提供部１１１及び禁則データ送信部１１２として動作する。
【００２６】
ウェブページ提供部１１１は、クライアント機２のブラウザー部２１１に、ウェブページを形成するＨＴＭＬファイル１２１を送信する。ここで、ウェブページは閲覧ページの一例である。
【００２７】
禁則データ送信部１１２は、クライアント機２のダウンロード部２１２の要求に基づき、標準禁則データ２２１を送信する。
【００２８】
サーバー記憶部１２は、ＨＴＭＬファイル１２１、標準禁則データ１２２及び標準禁則データ識別情報１２２ａを保持する。
【００２９】
ＨＴＭＬファイル１２１は、一般的なウェブページと同様のＨＴＭＬファイルである。ただし、テキスト入力域を示すinputタグ（type属性値が“text”のもの）は、禁則処理を行う場合に禁則データを指定する標準禁則データ識別情報を表す属性を有することができる。（本実施例では「prohibition」属性とするが、属性の名称は任意に定めてよい。）このようなinputタグを有するテキスト入力域に対して禁則処理が適用される。
【００３０】
図２は、禁則処理が適用されるテキスト入力域（禁則テキスト入力域）のＨＴＭＬの例を示す図である。prohibition属性として「識別情報１」が指定されている。prohibition属性の活用については後述する。
【００３１】
標準禁則データ１２２は、禁則処理を規定するデータである。
【００３２】
標準禁則データ識別情報１２２ａは、２以上の標準禁則データ１２２が保持される場合に、各々の標準禁則データ１２２を識別するための情報である。各々の標準禁則データ識別情報１２２ａ毎に別々の標準禁則データ１２２が保持されている。例えば、標準禁則データ１２２をファイルとして保持し、ファイル名を標準禁則データ識別情報１２２ａとし、prohibition属性の値を標準禁則データ識別情報（ファイル名）と同一とすることによって、テキスト入力域に適用される標準禁則データ１２２がファイル名により決定される。以上の構成によれば、各々のテキスト入力域は、prohibition属性の値である標準禁則データ識別情報１２２ａに関連付けられた標準禁則データ１２２に表された禁則処理がサーバー機１において適用される。２以上のテキスト入力域に同一の禁則処理を適用する場合には、同一の標準禁則データ識別情報１２２ａを用いることで、１の標準禁則データ１２２を共用することができる。また、サーバー機１において適用される標準禁則データ１２２がいかなるものであるかを、prohibition属性の値である標準禁則データ識別情報１２２ａによってクライアント機２に伝達することができる。
【００３３】
サーバー機１の以上の構成は、禁則処理を行うテキスト入力域について、標準禁則データ１２２を保持することと、標準禁則データ１２２に関連付けられた標準禁則データ識別情報１２２ａがテキスト入力域のprohibition属性に含まれることとを除き、通常のインターネットサーバー機と同様である。本発明のサーバー機１が提供するウェブページについて、後述する本発明のクライアント機２のブラウザー部２１１ではない広く用いられているブラウザーによって閲覧しても、prohibition属性の処理が行われない点を除き、問題なく閲覧することができる。
【００３４】
クライアント機２は、クライアント制御部２１及びクライアント記憶部２２を備えている。
【００３５】
クライアント制御部２１は、ブラウザー部２１１、ダウンロード部２１２、編集部２１３、禁則指定部２１４及び禁則処理部２１５を備えている。
【００３６】
なお、クライアント制御部２１は、例えば、ＣＰＵ（Central Processing Unit）等のプロセッサーであり、入力禁則処理プログラムを実行することによりブラウザー部２１１、ダウンロード部２１２、編集部２１３、禁則指定部２１４及び禁則処理部２１５として動作する。
【００３７】
ブラウザー部２１１は、ＨＴＭＬファイルに基づいてその内容を画面に表示する。
【００３８】
ダウンロード部２１２は、サーバー機の標準禁則データ１２２を禁則データ送信部１１２から受信してダウンロードし、標準禁則データ２２１として記憶する。
【００３９】
編集部２１３は、標準禁則データ２２１以外の禁則データを生成し、個別禁則データ２２２として記憶する。合わせて、個別禁則データ２２２に関連付けられた個別禁則データ識別情報２２２ａを生成、記憶する。詳細については後述する。
【００４０】
禁則指定部２１４は、禁則処理部２１５がいかなる禁則処理を行うかをユーザーに指定させる。詳細については後述する。
【００４１】
禁則処理部２１５は、ブラウザー部２１１においてユーザーがウェブページのテキスト入力域にテキストを入力する際に、禁則処理を実行する。具体的には、禁則処理部２１５は、標準禁則データ２２１又は個別禁則データ２２２により禁止された入力について、それをテキスト入力域に表示せず、サーバー機１に送信しない。
【００４２】
クライアント記憶部１２は、標準禁則データ２２１、個別禁則データ２２２、個別禁則データ識別情報２２２ａ及び禁則指定データ２２３を保持する。
【００４３】
標準禁則データ２２１は、ダウンロード部２１２よってダウンロードされた標準禁則データであり、サーバー記憶部１２に保持された標準禁則データ１２２と同一内容のものである。
【００４４】
個別禁則データ２２２は、編集部２１３によって生成された禁則データである。
【００４５】
個別禁則データ識別情報２２２ａは、２以上の個別禁則データ２２２が保持される場合に、各々の個別禁則データ２２２を識別するための情報である。例えば、個別禁則データ２２２をファイルとして保持する場合には、ファイル名が個別禁則データ識別情報２２２ａとなり得る。
【００４６】
禁則指定データ２２３は、禁則指定部２１４によって生成され、標準禁則データ識別情報１２２ａとユーザー名とから、１の標準禁則データ２２１又は個別禁則データ２２２を定めるためのデータである。
【００４７】
以下、ユーザーの操作に基づくウェブページの入力禁則処理システムの動作について説明する。
【００４８】
クライアント機２を使用するユーザーがＨＴＭＬファイル１２１に係るウェブページにアクセスする。ブラウザー部２１１において例えばＵＲＬを指定しＨＴＭＬファイル１２１を受信する。ブラウザー部２１１によって、ＨＴＭＬファイル１２１の内容がクライアント機２の画面に表示される。
【００４９】
ＨＴＭＬファイル１２１にテキスト入力域が含まれ禁則処理が行われる場合、禁則処理を行うべきテキスト入力域は、prohibition属性を有している。
【００５０】
クライアント機２（のブラウザー部２１１）がprohibition属性を処理しない場合には、サーバー機１において禁則処理が行われる。
【００５１】
クライアント機２（のブラウザー部２１１）がprohibition属性を処理する場合には、ブラウザー部２１１は、prohibition属性を処理する旨をサーバー機１に送信する。この場合、サーバー機１は禁則処理を行わない。サーバー機１とクライアント機２とで重複して禁則処理を行う必要はなく、また、特にサーバー機１においては禁止している文字の一部をクライアント機２において例外的に許可している場合に、サーバー機１が禁則処理を行うことはユーザーの意図と反する結果となってしまう。
【００５２】
以下、禁則処理は、文字毎の使用許可又は使用禁止であるとして説明する。しかし、行頭の句読点等を前行の行末に移動する等の禁則処理についても、かかる禁則処理のデータ形式を定めて標準禁則データ１２２（又は後述する個別禁則データ２２２）に含めることで、同様に処理することができる。
【００５３】
禁則処理を自ら行うクライアント機２は、ダウンロード部２１２により、サーバー機の標準禁則データ１２２をダウンロードし、標準禁則データ２２１として記憶することができる。標準禁則データ２２１は、prohibition属性の値である標準禁則データ識別情報に結び付けられる。例えば、標準禁則データ２２１をファイル形式で保持し、ファイル名を標準禁則データ識別情報とすることができる。これにより、２以上のテキスト入力域が同じ禁則処理の対象である（同じprohibition属性を有し、同じ標準禁則データ識別情報に結び付けられる）場合に、１の標準禁則データ２２１に基づいて処理することができる。
【００５４】
禁則処理部２１５が標準禁則データ２２１に基づいて禁則処理を行うことで、サーバー機１の禁則処理によらずにクライアント機２における禁則処理が可能となる。クライアント機２において禁則処理を行うのであれば、標準禁則データ２２１と同一のフォーマットで他の禁則処理を規定するデータ（個別禁則データ２２２）を作成し、それを用いて他の禁則処理を適用することができる。
【００５５】
図３は、編集部の表示する画面の例を示す図である。編集部２１３は個別禁則データ２２２を生成する。ただし、図３により理解される禁則データのフォーマットは、標準禁則データ２２１についても同一である。
【００５６】
禁則データは、例えば数字、英字、ＡＳＣＩＩ文字、記号、カタカナの文字種毎に許可又は禁止を定めることができる。図３（Ａ）に示すように、ユーザーが禁止（許可）する文字種を選択し、選択されなかった文字種が許可（禁止）される。
【００５７】
また、図３（Ｂ）に示すように文字種でなく文字毎に許可又は禁止を定めることとしてもよい。
【００５８】
編集部２１３は、許可（禁止）される文字種又は文字を示す所定のフォーマットのファイル（例えば、文字種毎の許可を示すフラグと許可又は禁止される文字を格納したファイル名を含むファイル）として、個別禁則データ２２２を生成する。
以上、文字種毎に又は文字毎に、入力を許可するもののリストを個別禁則データ２２２とすること、又は入力を禁止するもののリストを個別禁則データ２２２とすることができる。
入力を許可するもののリストを個別禁則データ２２２とした場合、禁則処理部２１５は、テキスト入力域への、リストにおいて許可された文字以外の文字の入力を禁止する。入力を禁止するもののリストを個別禁則データ２２２とした場合、禁則処理部２１５は、テキスト入力域への、リストにおいて禁止された文字の入力を禁止する。
【００５９】
編集部２１３は、個別禁則データ２２２をファイルとして生成する際、個別禁則データ識別情報２２２ａに関連付ける。例えばファイル名を個別禁則データ識別情報とすることができる。他の方法で関連付けてもよい。関連付けられる個別禁則データ識別情報２２２ａは、画面において（例えば既存の個別禁則データ２２２に関連付けられた個別禁則データ識別情報２２２ａドロップダウンリストを）表示してユーザーに選択させる、その他の方法で定めることができる。
【００６０】
禁則処理部２１５は、ユーザーの入力する文字について、標準禁則データ２２１又は個別禁則データ２２２によって禁止されている場合に、表示しない、色を変えて表示する、その他ユーザーに禁止されている旨を伝達することを行い、また、入力された文字としてサーバー機１に送信されないようブラウザー部２１１に通知する。
【００６１】
禁則処理部２１５の使用する標準禁則データ２２１又は個別禁則データ２２２は、禁則指定データ２２３に基づいて定められる。禁則指定部２１４は、禁則指定データ２２３データを生成・編集する。
【００６２】
図４は、禁則指定部の表示する画面の例を示す図である。テキスト入力域を指示して（例えばテキスト入力域にカーソルを配して）禁則指定部２１４を起動することで、図の画面が表示される。図に示すようにユーザー別に禁則データを選択することができる。「デフォルト検索」は標準禁則データ２２１を表し、ドロップダウンリストには個別禁則データ２２２が示されている。ユーザーは、標準禁則データ２２１又は個別禁則データ２２２（のうちのいずれか）を選択して、設定することができる。ここで、選択のために、図４に示すように個別禁則データ２２２に関連付けられた個別禁則データ識別情報２２２ａを表示することもできる。
【００６３】
設定に当たり、禁則指定部２１４は、起動された際に指定されたテキスト入力域のprohibition属性値（標準禁則データ識別情報１２２ａ）と、ユーザーとの組み合わせに対して標準禁則データ２２１又は個別禁則データ２２２（のうちのいずれか）のうちの１を設定し、それを禁則指定データ２２３に追加する、又はそれによって禁則指定データ２２３を更新する。
【００６４】
これにより、その後は、各々のテキスト入力域について、prohibition属性値として表される標準禁則データ識別情報１２２ａとユーザーとの組み合わせに対して、禁則指定データ２２３によって標準禁則データ２２１又は個別禁則データ２２２が決定され、それが禁則処理部２１５に用いられる。すなわち、ユーザー別に相違する禁則データを用いることができる。
【００６５】
なお、標準禁則データ識別情報とユーザーとの組み合わせ以外のものに対する禁則データの指定も考えられる。ユーザーに対して標準禁則データ識別情報に依存せずに禁則データを指定する、ホスト（クライアント機２のアクセスする複数のサーバー機の各々）に対して標準禁則データ識別情報及びユーザーに依存せずに禁則データを指定する、標準禁則データ識別情報に対してユーザーに依存せずに禁則データを指定する、ホストと標準禁則データ識別情報とユーザーとの組み合わせに対して禁則データを指定する、その他が考えられる。何に対して禁則データの指定を行うかについては、設計事項として定めればよい。
【００６６】
以上詳細に説明したとおり、本発明のウェブページの入力禁則処理システムによれば、個別禁則データ２２２によってユーザーの希望に合わせた禁則処理を実行することができる。個別禁則データ２２２は、クライアント機２に記憶され、サーバー機１に記憶する必要がない。サーバー機１の記憶容量を使用することがない。
【産業上の利用可能性】
【００６７】
ユーザーに係る禁則処理のデータをサーバーに保持することなく、ユーザーの希望に合わせた禁則処理を実行することのできるウェブページの入力禁則処理システムであり、多くのインターネットプロバイダーやユーザーによる利用が考えられる。
【符号の説明】
【００６８】
１        サーバー機
１１      サーバー制御部
１１１    ウェブページ提供部
１１２    禁則データ送信部
１２      サーバー記憶部
１２１    ＨＴＭＬファイル
１２２    標準禁則データ
１２２ａ  標準禁則データ識別情報
２        クライアント機
２１      クライアント制御部
２１１    ブラウザー部
２１２    ダウンロード部
２１３    編集部
２１４    禁則指定部
２１５    禁則処理部
２２      クライアント記憶部
２２１    標準禁則データ
２２２    個別禁則データ
２２２ａ  個別禁則データ識別情報
２２３    禁則指定データ
【図１】
2017097816.tif 000003
【図２】
2017097816.tif 000004
【図３】
2017097816.tif 000005
【図４】
2017097816.tif 000006